(57)【要約】【課題】扉の通常利用者の利便性を低下させることなく、通行意思の無い利用者による無用な解錠を抑制できる入退室管理装置を提供する。【解決手段】受信範囲内のＩＤタグの識別情報を読み取る読取部１０と、扉の通行権限の有無及び扉の通常利用者であるか否かの情報を識別情報毎に予め記憶する記憶部３０と、記憶部の情報を参照し、読取部で読み取られた識別情報の利用者が扉の通行権限を有するかを認証する認証手段２１と、記憶部の情報を参照し、認証手段での認証に成功した利用者が扉の通常利用者であるかを判断する判断手段２２と、認証成功した利用者が扉の通常利用者でないと判断手段により判断された場合に、読取部の受信範囲を第１エリアから扉に近い第２エリアへと変更する変更手段１１と、認証成功した利用者の識別情報が第２エリア内で読取部で読み取られた場合に扉を解錠する制御部４１と、を備える。【選択図】図１
2014214572.tif 000002
【特許請求の範囲】
【請求項１】
利用者に所持され受信範囲内に存在する情報記録媒体に記録された識別情報を無線通信により読み取る読取手段と、
識別情報のそれぞれに対応付けて、当該識別情報の利用者の扉の通行権限の有無及び当該利用者が当該扉の通常利用者であるか否かの情報を予め記憶する記憶手段と、
前記記憶手段に記憶された情報を参照し、前記読取手段により読み取られた識別情報の利用者が扉の通行権限を有する者であるか否かを認証する認証手段と、
前記記憶手段に記憶された情報を参照し、扉の通行権限を有する者であると前記認証手段により認証された利用者が、前記扉の通常利用者であるか否かを判断する判断手段と、
前記認証された利用者が前記扉の通常利用者でないと前記判断手段により判断された場合に、前記読取手段の受信範囲を、第１エリアから前記第１エリアより前記扉に近い範囲に設定された第２エリアへと変更する変更手段と、
前記認証された利用者の識別情報が前記第２エリア内で前記読取手段により読み取られた場合に、前記扉を解錠する制御手段と、を備えたことを特徴とする入退室管理装置。
【請求項２】
前記制御手段は、前記認証された利用者が前記扉の通常利用者であると前記判断手段により判断された場合に、前記扉を解錠することを特徴とする請求項１に記載の入退室管理装置。
【請求項３】
前記変更手段は、前記読取手段の受信範囲を前記第１エリアから前記第２エリアへと変更した後、一定時間以内に前記読取手段により前記認証された利用者の識別情報が読み取られなかった場合に、前記読取手段の受信範囲を前記第２エリアから前記第１エリアへと変更することを特徴とする請求項１又は請求項２に記載の入退室管理装置。
【発明の詳細な説明】
【技術分野】
【０００１】
この発明は、入退室管理装置に関するものである。
【背景技術】
【０００２】
従来における入退室管理装置に用いられるタグ装置としては、受信した質問信号のレベルが、所定値以上であるか否かの判定を行う判定手段と、判定手段が、前記レベルが所定値以上であるとの判定を行った場合には、自装置の識別情報を含ませた応答信号を送信し、判定手段が、前記レベルが所定値以上でないとの判定を行った場合には、前記応答信号を送信しないよう制御する制御手段とを備えたものが知られている（例えば、特許文献１参照）。
【先行技術文献】
【特許文献】
【０００３】
【特許文献１】特開２０１２−１３３４６３号公報
【特許文献２】特開２０１２−１３４６３１号公報
【特許文献３】特開２０１１−１５０４２１号公報
【特許文献４】特開２００８−０１０９０３号公報
【発明の概要】
【発明が解決しようとする課題】
【０００４】
しかしながら、特許文献１に示された従来における入退室管理装置においては、タグを所持した利用者が、受信した質問信号のレベルが所定値以上となる領域内を通過した場合、当該利用者が扉の通行権限を有しているときには、通行意思の有無に関係なく、扉が解錠してしまう。
【０００５】
また、扉を通常頻繁に通行する利用者であっても、受信した質問信号のレベルが所定値以上となる領域、すなわち、扉の十分近くの範囲にまで接近しなくては扉が解錠されないため、利便性が低下してしまう。
【０００６】
この発明は、このような課題を解決するためになされたもので、扉を通常頻繁に通行する利用者に対する利便性を低下させることなく、通行意思の無い利用者が扉付近を単に通過した場合に扉が不測に解錠されてしまうことを適切に防止することができる入退室管理装置を得るものである。
【課題を解決するための手段】
【０００７】
この発明に係る入退室管理装置においては、利用者に所持され受信範囲内に存在する情報記録媒体に記録された識別情報を無線通信により読み取る読取手段と、識別情報のそれぞれに対応付けて、当該識別情報の利用者の扉の通行権限の有無及び当該利用者が当該扉の通常利用者であるか否かの情報を予め記憶する記憶手段と、前記記憶手段に記憶された情報を参照し、前記読取手段により読み取られた識別情報の利用者が扉の通行権限を有する者であるか否かを認証する認証手段と、前記記憶手段に記憶された情報を参照し、扉の通行権限を有する者であると前記認証手段により認証された利用者が、前記扉の通常利用者であるか否かを判断する判断手段と、前記認証された利用者が前記扉の通常利用者でないと前記判断手段により判断された場合に、前記読取手段の受信範囲を、第１エリアから前記第１エリアより前記扉に近い範囲に設定された第２エリアへと変更する変更手段と、前記読取手段により前記第２エリア内で前記認証された利用者の識別情報が読み取られた場合に、前記扉を解錠する制御手段と、を備える。
【発明の効果】
【０００８】
この発明に係る入退室管理装置においては、扉を通常に使用する利用者に対する利便性を低下させることなく、通行意思の無い利用者が扉付近を単に通過した場合に扉が不用意に解錠されてしまうことを抑制できるという効果を奏する。
【図面の簡単な説明】
【０００９】
【図１】この発明の実施の形態１に係る入退室管理装置の構成を示すブロック図である。
【図２】この発明の実施の形態１に係る入退室管理装置が備える記憶部に記憶される情報の一例を示す図である。
【図３】この発明の実施の形態１に係る入退室管理装置の動作を示すフロー図である。
【図４】この発明の実施の形態１に係る入退室管理装置の通常利用者に対する動作を説明する図である。
【図５】この発明の実施の形態１に係る入退室管理装置の通常利用者でない場合の動作を説明する図である。
【発明を実施するための形態】
【００１０】
この発明を添付の図面に従い説明する。各図を通じて同符号は同一部分又は相当部分を示しており、その重複説明は適宜に簡略化又は省略する。
【００１１】
実施の形態１．
図１から図５は、この発明の実施の形態１に係るもので、図１は入退室管理装置の構成を示すブロック図、図２は入退室管理装置が備える記憶部に記憶される情報の一例を示す図、図３は入退室管理装置の動作を示すフロー図、図４は入退室管理装置の通常利用者に対する動作を説明する図、図５は入退室管理装置の通常利用者でない場合の動作を説明する図である。
【００１２】
図１に示すこの発明の入退室管理装置が適用される施設又は建物等の内部は仕切られて区画が設けられている。各区画の出入口には図示しない扉が開閉自在に設けられている。区画に出入りする利用者は、それぞれ図示しないＩＤタグを所持している。各ＩＤタグには、複数の利用者の各々を一意に識別可能な識別情報が予め記録されている。
【００１３】
ＩＤタグは、いわゆるアクティブ型のＲＦＩＤ（Ｒａｄｉｏ  Ｆｒｅｑｕｅｎｃｙ  ＩＤｅｎｔｉｆｉｃａｔｉｏｎ）タグである。すなわち、ＩＤタグは、自身が記憶する識別情報を無線信号として発信することができる。ＩＤタグは、無線信号を発信するための電力を供給する電池を内蔵している。
【００１４】
区画の扉の近傍には、読取部１０が設置されている。読取部１０は、ＩＤタグに記録された識別情報を無線通信により読み取るためのものである。読取部１０は、ＩＤタグから発信された無線信号（電磁波）を受信するための図示しないアンテナ部及びこのアンテナ部で受信した無線信号を処理して当該無線信号に含まれる識別情報等を取得する図示しない信号処理部を備えている。
【００１５】
読取部１０がＩＤタグから発信された無線信号を受信することが可能な範囲（以下「受信範囲」という）内に利用者が携行するＩＤタグが存在するか否かを予め定められた一定の読取周期で確認している。そして、この受信範囲内に利用者が携行するＩＤタグが入ると、ＩＤタグは当該ＩＤタグに記録されている識別情報を含む無線信号を発信する。読取部１０はＩＤタグから発信された無線信号を受信し、当該受信した無線信号に含まれる識別情報を取得する。
【００１６】
したがって、利用者がＩＤタグを所持した状態で受信範囲内に入るだけで、読取部１０によるＩＤタグの識別情報の取得が行われる。なお、後述するように、読取部１０の受信範囲は第１エリアと第２エリアとの間で選択的に変化させることができる。また、読取部１０の受信範囲の初期状態は第１エリアである。
【００１７】
ＩＤタグは、利用者が所持し、識別情報が記録され、無線通信により識別情報の読み取りが行われる情報記録媒体の一例である。このような情報記録媒体としては、以上で説明したアクティブ型のＲＦＩＤタグの他、待受通信方式（タグがタグ検出範囲内に入った必要時のみタグから無線信号が発信される方式）のいわゆるセミアクティブ型のＲＦＩＤタグを用いることもできる。セミアクティブ型のＲＦＩＤタグを用いることで、ＩＤタグから無線信号を送信する機会を必要時のみに限定し、ＩＤタグに内蔵された電池の無用な消費を抑えることができる。
【００１８】
読取部１０により読み取られたＩＤタグの識別情報は、認証部２０へと入力される。この認証部２０は、読取部１０により読み取られた識別情報に基づいて、この読み取られた識別情報の利用者の認証を行うためのものである。認証部２０には、通行権限認証部２１及び通常利用判断部２２が備えられている。
【００１９】
記憶部３０には、識別情報のそれぞれに対応付けて、当該識別情報の利用者の扉の通行権限の有無及び当該利用者が当該扉の通常利用者であるか否かについての情報が予め記憶されている。この記憶部３０に記憶されている情報の一例を図２に示す。
【００２０】
このように、記憶部３０に記憶されている情報には、それぞれの利用者の識別情報毎に、管理対象である扉のそれぞれについて、利用者が扉の通行権限を有しているか否かという情報と、利用者が扉の通行権限を有している場合には、当該利用者は当該扉の通常利用者であるか否かという情報とが含まれている。
【００２１】
この図２の例においては、「１」又は「２」の数字が登録されている場合には利用者はその扉について通行権限を有していることを意味している。これに対し、何も登録されていない場合には利用者はその扉について通行権限を有していないことを意味している。
【００２２】
そして、通行権限を有している扉に関して、「１」はその扉は利用者が通常利用しない扉であること、すなわち、利用者はその扉の通常利用者でないことを意味している。また、「２」はその扉は利用者が通常利用する扉であること、すなわち、利用者はその扉の通常利用者であることを意味している。
【００２３】
したがって、具体的に図２の例に則して説明すると、利用者ａは、扉Ａの通行権限を有しておらず、扉Ｂと扉Ｃの通行権限を有している。そして、通行権限を有する扉Ｂ及び扉Ｃについて、利用者ａは、扉Ｂの通常利用者ではなく、扉Ｃの通常利用者である。
【００２４】
また、利用者ｂは、扉Ａの通行権限を有しておらず、扉Ｂと扉Ｃの通行権限を有している。そして、通行権限を有する扉Ｂ及び扉Ｃについて、利用者ｂは、扉Ｂ及び扉Ｃいずれについても通常利用者ではない。
【００２５】
同様に、利用者ｃは、扉Ａ及び扉Ｂの通行権限を有しており、扉Ｃの通行権限を有していない。そして、通行権限を有する扉Ａ及び扉Ｂについて、利用者ｃは、扉Ａの通常利用者ではなく、扉Ｂの通常利用者である。
【００２６】
ここで、扉の通常利用者とは、当該利用者が日常的に通行する経路上にその扉がある等の事情により、その扉を日常的に、あるいは、頻繁に利用する者を意味する。したがって、通常利用者がその扉の付近を通りがかった場合、ほとんどの場合において、通常利用者はその扉を通行する意思を有していることになる。
【００２７】
認証部２０の通行権限認証部２１は、以上で説明した内容を有する記憶部３０に記憶された情報を参照して、読取部１０により読み取られた識別情報の利用者が扉の通行権限を有する者であるか否かの認証を行う。
【００２８】
記憶部３０に記憶された情報において、読取部１０により読み取られた識別情報の利用者が扉の通行権限を有している場合（すなわち、「１」又は「２」が登録されている場合）には、通行権限認証部２１は、当該利用者を扉の通行権限を有する者として認証する（認証成功）。
【００２９】
一方、記憶部３０に記憶された情報において、読取部１０により読み取られた識別情報の利用者が扉の通行権限を有していない場合（すなわち、何も登録されていない場合）には、通行権限認証部２１は、当該利用者を扉の通行権限を有する者として認証しない（認証失敗）。
【００３０】
認証部２０の通常利用判断部２２は、通行権限認証部２１により扉の通行権限を有する者として認証された利用者について、当該利用者が当該扉の通常利用者であるか否かを判断する。この判断は、記憶部３０に記憶された情報を参照して行われる。
【００３１】
通行権限認証部２１により扉の通行権限を有する利用者として認証された場合、記憶部３０に記憶された情報には、当該利用者は当該扉について「１」又は「２」のいずれかが登録されているはずである。
【００３２】
通常利用判断部２２は、当該利用者は当該扉について「１」が登録されていた場合には、当該利用者は当該扉の通常利用者ではないと判断する。一方、当該利用者は当該扉について「２」が登録されていた場合は、通常利用判断部２２は、当該利用者は当該扉の通常利用者であると判断する。
【００３３】
読取部１０には、受信範囲変更部１１が備えられている。この受信範囲変更部１１は、読取部１０の受信範囲を、第１エリアと第２エリアとの間で選択的に変更させるためのものである。受信範囲変更部１１は、読取部１０のアンテナからの電波出力を変化させることで受信範囲の大きさを第１エリアと第２エリアのいずれかに設定する。
【００３４】
第１エリアは読取部１０の受信範囲の初期状態である。第２エリアは、第１エリアより扉に近い範囲に設定されている。ここでは、第１エリアは扉の前の略半円状の領域として設定されている。そして、第２エリアは、第１エリアより狭く、第１エリア内に含まれる略半円状の領域として設定されている。したがって、第２エリアは、扉の前であって、かつ、第１エリアよりも扉に近い位置にある。
【００３５】
区画の各扉には、電気錠システム４０が設けられている。電気錠システム４０には、制御部４１が備えられており、各扉の電気錠の施錠状態は、この制御部４１により制御される。各扉の電気錠は、初期状態において施錠されている。
【００３６】
通常利用判断部２２により利用者が扉の通常利用者であると判断された場合、制御部４１は当該扉の電気錠を解錠する。したがって、当該利用者は当該扉を通行することができるようになる。
【００３７】
一方、通常利用判断部２２により利用者が扉の通常利用者でないと判断された場合、制御部４１は、この時点では当該扉の電気錠を解錠せず施錠された状態を維持する。そして、この場合には、受信範囲変更部１１は、読取部１０の受信範囲を、第１エリアから第２エリアへと変更する。
【００３８】
読取部１０の受信範囲が第２エリアへと変更された後、当該利用者がさらに扉に接近することで、第２エリアとなった受信範囲内に当該利用者が入ると、当該利用者が所持するＩＤタグの識別情報が再び読取部１０により読み取られる。制御部４１は、当該利用者が所持するＩＤタグの識別情報が、読取部１０により再度読み取られた場合に、当該扉の電気錠を解錠する。こうして、当該利用者は当該扉を通行することができるようになる。
【００３９】
なお、通常利用判断部２２による通常利用者の判断は、通行権限認証部２１により扉の通行権限を有する者として認証された者について行われる。したがって、通常利用判断部２２により扉の通常利用者であると判断された利用者は、当然に当該扉の通行権限を有している。また、通常利用判断部２２により扉の通常利用者でないと判断された利用者も、当該扉の通行権限を有する者である。
【００４０】
これに対し、通行権限認証部２１による認証の結果、扉の通行権限を有する利用者として認証されなかった場合、通常利用判断部２２による通常利用者の判断は行われず、また、制御部４１による扉の電気錠の解錠も行われない。したがって、扉の電気錠は施錠されたままであり、扉の通行権限を有する者として認証されなかった利用者は当該扉の通行が阻止される。なお、この場合、読取部１０の受信範囲も第１エリアのままである。
【００４１】
次に、以上のように構成された入退室管理装置の動作の流れを図３のフロー図を参照しながら説明する。まず、読取部１０の受信範囲は広い第１エリアに設定されている。この状態において、ステップＳ１で、読取部１０により受信範囲（第１エリア）内に利用者が所持するＩＤタグが検知されると、読取部１０は当該ＩＤタグに記録されている識別情報を読み取る。
【００４２】
そして、ステップＳ２へと進み、認証部２０の通行権限認証部２１は、読取部１０により読み取られた識別情報の利用者は、扉の通行権限を有しているか否かを確認する。当該利用者が扉の通行権限を有していない場合には、ステップＳ１へと戻る。当該利用者が扉の通行権限を有している場合には、ステップＳ３へと進む。
【００４３】
ステップＳ３においては、認証部２０の通常利用判断部２２は、ステップＳ２で扉の通行権限を有していると認証された識別情報のＩＤタグを所持する利用者が、当該扉の通常利用者であるか否かを判断する。当該利用者が当該扉の通常利用者である場合には、ステップＳ４へと進む。
【００４４】
ステップＳ４においては、電気錠システム４０の制御部４１は、当該扉の電気錠を解錠する。そして、続くステップＳ５において、制御部４１は当該扉の電気錠を施錠する。なお、ステップＳ５における施錠は、ステップＳ４の解錠の後一定時間経過してから行う。あるいは、扉の開閉状態を検出するセンサを設けておき、ステップＳ４の解錠の後、扉が一度開閉された場合に施錠するようにしてもよい。ステップＳ５の後は、ステップＳ１へと戻る。
【００４５】
一方、当該利用者が当該扉の通常利用者でない場合には、ステップＳ６へと進む。このステップＳ６においては、受信範囲変更部１１は、読取部１０の受信範囲を第１エリアから狭い第２エリアへと変更する。そして、続くステップＳ７において、第２エリアに変更された受信範囲内で、ステップＳ２で認証された識別情報のＩＤタグが再び検知されたか否かが確認される。
【００４６】
認証された識別情報が読取部１０によりＩＤタグから読み取られて、当該ＩＤタグが第２エリア内で再び検知された場合には、ステップＳ８へと進む。このステップＳ８においては、受信範囲変更部１１は、読取部１０の受信範囲を第２エリアから第１エリアへと戻す。そして、ステップＳ４へと進んで、電気錠システム４０の制御部４１は、扉の電気錠を解錠する。
【００４７】
一方、ステップＳ７において、ステップＳ２で認証された識別情報のＩＤタグが第２エリア内で検知されない場合には、ステップＳ９へと進む。このステップＳ９においては、読取部１０は、ステップＳ６で受信範囲を第２エリアに変更してから、予め定められた一定時間が経過したか否かを確認する。受信範囲を第２エリアに変更後一定時間が経過していない場合には、ステップＳ７へと戻る。
【００４８】
一方、受信範囲を第２エリアに変更後一定時間が経過している場合には、ステップＳ１０へと進む。このステップＳ１０においては、受信範囲変更部１１は、読取部１０の受信範囲を第２エリアから第１エリアへと戻す。そして、処理はステップＳ１へと戻る。
【００４９】
このようなステップＳ７、Ｓ９及びＳ１０の処理により、受信範囲変更部１１は、読取部１０の受信範囲を第１エリアから第２エリアへと変更した後、一定時間以内に読取部１０により認証された利用者の識別情報が読み取られなかった場合に、読取部１０の受信範囲を第２エリアから第１エリアへと戻す。
【００５０】
以上のように構成された入退室管理装置は、利用者に所持され受信範囲内に存在する情報記録媒体に記録された識別情報を無線通信により読み取る読取部１０と、識別情報のそれぞれに対応付けて、当該識別情報の利用者の扉の通行権限の有無及び当該利用者が当該扉の通常利用者であるか否かの情報を予め記憶する記憶部３０と、記憶部３０に記憶された情報を参照し、読取部１０により読み取られた識別情報の利用者が扉の通行権限を有する者であるか否かを認証する認証手段である通行権限認証部２１と、記憶部３０に記憶された情報を参照し、扉の通行権限を有する者であると認証手段により認証された利用者が、前記扉の通常利用者であるか否かを判断する判断手段である通常利用判断部２２と、前記認証された利用者が前記扉の通常利用者でないと判断手段により判断された場合に、読取部の受信範囲を、第１エリアからこの第１エリアより前記扉に近い範囲に設定された第２エリアへと変更する変更手段である受信範囲変更部１１と、読取部１０により第２エリア内で前記認証された利用者の識別情報が読み取られた場合に、前記扉を解錠する制御部４１と、を備えている。
【００５１】
そして、制御部４１は、前記認証された利用者が前記扉の通常利用者であると判断手段（通常利用判断部２２）により判断された場合に、前記扉を解錠する。
【００５２】
このため、図４に示すように、扉の通常利用者である利用者Ｄが当該扉に接近してきた場合、第１エリア内にこの利用者Ｄが所持するＩＤタグｄが入ると、読取部１０による識別情報の読み取りが行われる。そして、通行権限認証部２１による通行権限の認証と通常利用判断部２２による通常利用者の判断が行われた結果、即時に扉が解錠される。
【００５３】
また、図５に示すように、扉の通常利用者でない利用者Ｅが当該扉に接近してきた場合、第１エリア内にこの利用者Ｅが所持するＩＤタグｅが入ると、利用者Ｄの場合と同じように読取部１０による識別情報の読み取りが行われる。
【００５４】
そして、通行権限認証部２１による認証の結果、利用者Ｅは通行権限を有することが確認され、続く通常利用判断部２２による判断の結果、利用者Ｅは通常利用者でないことが確認されると、利用者Ｅは通行権限を有する者であっても通常利用者ではないため、この時点では扉は解錠されない（図５の（１））。
【００５５】
この場合には、受信範囲変更部１１により、読取部１０の受信範囲が第１エリアから第２エリアへと狭められる（図５の（２））。そして、利用者Ｅがさらに扉に接正して第２エリア内へと入った段階で、初めて扉が解錠されて通行が可能となる（図５の（３））。
【００５６】
この際、通行権限認証部２１により通行権限を有することが認証された場合であっても、その後一定時間以内に利用者Ｅが第２エリア内へと入らなかった場合には、利用者Ｅには扉の通行意思がないと判断できる。よって、扉は解錠されず、また、受信範囲変更部１１は受信範囲を第２エリアから第１エリアへと戻す。
【００５７】
このように、この発明の入退室管理装置は、認証されたＩＤタグを所持する利用者が扉の通常利用者であるか否かにより、読取部１０の受信範囲の大きさを変化させる。このため、扉の通常利用者であれば広い第１エリア内に入った時点で解錠されて扉を通行することができる。
【００５８】
一方、扉の通常利用者でない場合には第１エリア内に入った時点では解錠されず、さらに狭い第２エリア内に入った時に扉が解錠される。また、扉の通常利用者でない場合には第１エリア内に入った後、一定時間以内にこの利用者が第２エリア内に入らなかった場合には、扉は解錠されず施錠された状態が維持される。
【００５９】
したがって、扉を通常頻繁に通行する通常利用者に対する利便性を損なうことなく、その扉を通常使用せず通行意思の無い利用者が扉付近を単に通過した場合に扉が不用意に解錠されてしまうことを抑制することができる。
【符号の説明】
【００６０】
１０  読取部、  １１  受信範囲変更部、  ２０  認証部、  ２１  通行権限認証部、  ２２  通常利用判断部、  ３０  記憶部、  ４０  電気錠システム、  ４１  制御部
【図１】
2014214572.tif 000003
【図２】
2014214572.tif 000004
【図３】
2014214572.tif 000005
【図４】
2014214572.tif 000006
【図５】
2014214572.tif 000007